(57)【要約】【課題】ポールを伸縮パイプの一本物構造とし、嵩低くするという目的を維持しながら、一部の部材の紛失や置忘れの発生がなく、しかも、ポールの組み立てや分解のための時間が不要になるグランドゴルフのホールポストを提供する。【解決手段】ホールポスト本体２の上端に旗取付け用のポール３を、着脱可能で起立状態に取付けるようにしたグランドゴルフのホールポスト１において、前記ポール３を伸縮パイプで形成する。【選択図】図１
2005270173.tif 000002
【特許請求の範囲】
【請求項１】
ホールポスト本体の上端に旗取付け用のポールを、着脱可能で起立状態に取付けるようにしたグランドゴルフのホールポストにおいて、前記ポールが径の異なる複数本のパイプを引き伸ばし状態の固定と伸縮が可能となるよう嵌め合わせた伸縮パイプで形成されていることを特徴とするグランドゴルフのホールポスト。
【発明の詳細な説明】
【技術分野】
【０００１】
この発明は、グランドゴルフのホールポスト、更に詳しくは、ホール番号を表示する旗を取付けるポールの構造に関する。
【背景技術】
【０００２】
グランドゴルフは、所定のボールを決められた位置から打ち始め、ボールがホールポストに入って静止したとまりの状態までの打数を競うものであり、場所を選ばず、準備やルールが簡単で人数制限や時間制限がなく、高度な技術が必要ないため、いつでも、どこでも、だれでもできるスポーツであり、近年愛好者の数が増大している。
【０００３】
グランドゴルフを行うには、クラブやボール、スタートマット等と共に、ボールを打ち込むためとホール番号を表示するためのホールポストが必要になる。
【０００４】
このホールポストは、金属線材を用い、地面に設置する円形リングの上に小径の上フレームを配置し、円形リングと上フレームを等間隔の配置となる連結フレームで結合し、上フレーム上にポールの取付け部を設けたホールポスト本体と、このホールポスト本体の上に起立状に取付けるポールとの組み合わせからなり、上下に長いポールの上部にホール番号を表示するための旗が取付けられることになる。
【０００５】
上記のようなホールポストは、ホールポスト本体と長いポールが固定化されていると、持ち運びや収納に不便であるため、ホールポスト本体に対してポールを着脱自在とし、かつ、ポール自体も長さの調整を可能とし、分解時に全体が嵩低くなるようにしている。
【０００６】
従来、上記のようなポールは、ポールの全長を略二分割した長さの二本のパイプとこのパイプを接続するための継ぎ手部材とからなり、両パイプの端部にねじ軸を突設すると共に、継ぎ手部材の両端にねじ孔を設け、両パイプのねじ軸を継ぎ手部材のねじ孔に螺合することにより、継ぎ手部材を介して両パイプを接続してポールを組み立てるようになっている（例えば、特許文献１参照）。
【特許文献１】特開平１１−１５１３３３号公報
【発明の開示】
【発明が解決しようとする課題】
【０００７】
ところで、従来のポールのように、二本のパイプと継ぎ手部材の組み合わせ構造では、分解時に嵩低くするという目的は達成することができるが、分解時に二本のパイプと継ぎ手部材がばらばらになると、特に小さな継ぎ手部材を紛失したり、一部の部材を忘れてくるというような事態が往々にして発生するという危惧がある。
また、ポールの組み立ては二本のパイプと継ぎ手部材によるねじ式であるので、組み立てや分解に時間と手間がかかるという問題もある。
【０００８】
そこで、この発明の課題は、ポールを伸縮パイプの一本物構造とし、嵩低くするという目的を維持しながら、一部の部材の紛失や置忘れの発生がなく、しかも、ポールの組み立てや分解のための余分な時間が不要になるグランドゴルフのホールポストを提供することにある。
【課題を解決するための手段】
【０００９】
上記のような課題を解決するため、この発明は、ホールポスト本体の上端に旗取付け用のポールを、着脱可能で起立状態に取付けるようにしたグランドゴルフのホールポストにおいて、前記ポールが径の異なる複数本のパイプを引き伸ばし状態の固定と伸縮が可能となるよう嵌め合わせた伸縮パイプで形成されている構成を採用したものである。
【００１０】
上記ホールポスト本体は、金属線材を用い、地面に設置する円形リングの上に小径の上フレームを配置し、円形リングと上フレームを等間隔の配置となる連結フレームで結合し、上フレーム上にポールの取付けボルトを設け、このボルトを利用して鈴を吊り下げている。
【００１１】
また、ポールとなる伸縮パイプは、径の異なる下部の大径パイプと上部の小径パイプを伸縮可能に嵌め合わせ、小径パイプの下端に、大径パイプと小径パイプの相対回転により、固定と解除が行えるロック機構を設け、大径パイプの下端に取付けボルトにねじ込むねじ孔を設けた構造になっている。
【発明の効果】
【００１２】
この発明によると、ホールポスト本体の上端に取付ける旗取付け用のポールを、径の異なる複数本のパイプを嵌め合わせた伸縮パイプで形成したので、ポールが一本物の構造となり、収縮させることにより長さが略半分程度になり、使用しないときは嵩低くなるので持ち運びや収納に便利であり、しかも、一本物の構造であるので、一部の部材の紛失や置忘れの発生をなくすことができる。
【００１３】
また、伸縮パイプを用いたポールは、嵌め合わせたパイプを相対回転させることにより、嵌め合わせたパイプのロックと解除が可能となるので、ポールの伸縮操作が簡単に短時間で行える。
【発明を実施するための最良の形態】
【００１４】
ホールポスト本体の上端に着脱可能で起立状態に取付けるようにした旗取付け用のポールを、径の異なる複数本のパイプを引き伸ばし状態の固定と収縮が可能となるよう嵌め合わせた伸縮パイプで形成する。
【実施例】
【００１５】
図１乃至図３のように、グランドゴルフのホールポスト１は、ホールポスト本体２の上端にポール３を着脱可能で起立状態に取付け、このポール３の上端部にホールの番号を表記した旗４を取付けるようになっている。
【００１６】
上記ホールポスト本体２は、金属線材を用い、地面に設置する円形リング５の上に小径の上フレーム６を配置し、円形リング５と上フレーム６を等間隔の配置となる複数本の連結フレーム７で結合し、上フレーム６の中心部にポール３の取付け板８が連結フレーム７上への固定によって配置されている。
【００１７】
上記取付け板８の中央に設けたねじ孔９に、この取付け板８の下面側から吊り下げボルト１０の上端螺軸１１を螺合し、吊り下げボルト１０に円筒状の鈴１２が頭部１３で抜け止め状となるよう揺動可能に釣り下げられている。
【００１８】
上記ポール３は、径の異なる下部の大径パイプ３ａと上部の小径パイプ３ｂを伸縮可能に嵌め合わせ伸縮パイプで形成され、小径パイプ３ｂの下端に、大径パイプ３ａと小径パイプ３ｂの相対回転により、固定と解除が行えるロック機構１４を設け、大径パイプ３ａの下端内部に固定したナット１５で吊り下げボルト１０の螺軸１１にねじ込むねじ孔１６が設けられている。
【００１９】
上記ポール３となる伸縮パイプは、大径パイプ３ａと小径パイプ３ｂが略等しい長さを有し、大径パイプ３ａと小径パイプ３ｂの伸長状態でポール３に要求される長さになるよう設定され、小径パイプ３ｂの下端に設けたロック機構１４により、ポール３の伸縮を任意の長さで固定化することができるようになっている。
【００２０】
このロック機構１４は、ポール３の伸縮を任意の長さで固定化できるものであれば構造は限定されないが、図４と図５にロック機構１４の一例を示し、大径パイプ３ａの内径に収まる上下円軸体１７、１８を偏心軸１９で結合一体化し、上下円軸体１７、１８間に偏心軸１９へ回転可能に外嵌するＣ型リング２０を組込み、Ｃ型リング２０の一方端部と下部円軸体１８に一方の回転方向に対して互いに係合する突起２１と２２を設け、大径パイプ３ａに対して小径パイプ３ｂを図４（ｂ）の反時計方向に回転させると、突起２１、２２が係合してＣ型リング２０は小径パイプ３ｂと一体に回転することで大径パイプ３ａの内周面に作用せず、従って、大径パイプ３ａに対して小径パイプ３ｂを軸方向に移動させることで伸縮パイプの伸縮操作が可能になる。
【００２１】
また、大径パイプ３ａに対して小径パイプ３ｂを図４（ｂ）の時計方向に回転させると、突起２１、２２が離れることでＣ型リング２０は停止したままとなり、Ｃ型リング２０に対する偏心軸１９の変位でＣ型リング２０が大径パイプ３ａの内周面に圧接し、大径パイプ３ａに対して小径パイプ３ｂを固定化することになる。
【００２２】
なお、大径パイプ３ａと小径パイプ３ｂの抜け止め及び伸縮パイプの最伸長状態は、大径パイプ３ａの上端に固定したキャップ２３にロック機構１４が当接することによって得られるようになっている
【００２３】
この発明のグランドゴルフのホールポストは、上記のような構成であり、ホールポストを使用しない時は、ホールポスト本体２の螺軸１１からポール３を取外し、ポール３は大径パイプ３ａと小径パイプ３ｂを収縮状態にしておけばよい。
【００２４】
ホールポストを使用する場合は、ポール３の大径パイプ３ａと小径パイプ３ｂを引き伸ばし、ロック機構１４の作用で伸長状態を固定化し、このポール３の下端に設けたねじ孔をホールポスト本体２の上面に突出する螺軸１１にねじ込み、このポール３をホールポスト本体２の上面に直立状に起立させ、該ポール３の上端部にホールの番号を表記した旗４を取付け、図１のようにホールポスト１を組み立て、このホールポスト１をコースの所定の位置に配置することにより、グランドゴルフを行うものである。
【００２５】
また、使用済み後は、上記組み立て時と逆に、螺軸１１へのねじ込み部分を緩めてホールポスト本体２からポール３を取外し、その後、ポール３を収縮状態にすればよく、このように、ポール３を伸縮パイプの一本物構造とすることにより、全体を嵩低くするという目的を維持しながら、一部の部材の紛失や置忘れの発生がなくなり、しかも、ポール３の組み立てや分解のための余分な時間が不要になる。
【図面の簡単な説明】
【００２６】
【図１】この発明に係るホールポストの全体を示す斜視図
【図２】この発明に係るホールポストの要部構造を示す拡大した縦断正面図
【図３】（ａ）はポールの収縮状態を示す正面図、（ｂ）はポールの伸長状体を示す正面図
【図４】（ａ）はポールのロック機構を示す拡大縦断面図、（ｂ）は同ロック機構の横断平面図
【図５】ロック機構の要部構造を示す分解斜視図
【符号の説明】
【００２７】
１        ホールポスト
２        ホールポスト本体
３        ポール
４        旗
５        円形リング
６        上フレーム
７        連結フレーム
８        取付け板
９        ねじ孔
１０      吊り下げボルト
１１      上端螺軸
１２      鈴
１３      頭部
１４      ロック機構
１５      ナット
１６      ねじ孔
１７      円軸体
１８      円軸体
１９      偏心軸
２０      Ｃ型リング
２１      突起
２２      突起
【図１】
2005270173.tif 000003
【図２】
2005270173.tif 000004
【図３】
2005270173.tif 000005
【図４】
2005270173.tif 000006
【図５】
2005270173.tif 000007